(57)【要約】【課題】電力線等への取り付けや取り外しが容易であって、外れ止め機能の設定及び解除を安全に行うことができる安価なフック装置を提供する。【解決手段】フック装置１ａは、略鉤状をなすフック本体２と、先端開口部３を塞ぐように枢着部２ａに基端部４ａが枢着される外れ止め具４と、外れ止め具４と枢着部２ａの間に設置されて先端開口部３を閉じる方向へ外れ止め具４を付勢する圧縮コイルばね６と、引張コイルばね７を介してフック本体２に連結されるリング状の連結部材８と外れ止め具４とを連結する解除ワイヤー１０と、フック本体２の側面２ｃに形成されて解除ワイヤー１０を引張コイルばね７の設置個所から枢着部２ａの近傍まで案内するガイド溝９ａを備えている。【選択図】図１
2013158065.tif 000002
【特許請求の範囲】
【請求項１】
鉤状に形成されて先端開口部を有するとともに、基端側に枢着部が設けられたフック本体と、
前記先端開口部を開閉自在に基端部が前記枢着部に枢着されるとともに、先端部が前記フック本体の先端部近傍において前記先端開口部の内面に当接可能に設置される外れ止め具と、
この外れ止め具と前記枢着部との間に設置されて、前記外れ止め具に対して前記先端開口部を閉じる方向へ付勢する弾性部材と、
前記先端開口部を挟んで前記枢着部と対向する箇所に伸縮部材を介して取り付けられる連結部材と、
この連結部材に基端が連結され、前記外れ止め具に前記基端部と前記先端部の間において先端が連結される解除ワイヤーと、
を備え、
前記フック本体の側面には前記伸縮部材の設置箇所から前記枢着部にかけて、前記解除ワイヤーを導入するガイド溝が形成されることを特徴とするフック装置。
【請求項２】
前記伸縮部材は、前記連結部材を前記フック本体側へ近づける方向へ付勢するコイルばねからなることを特徴とする請求項１記載のフック装置。
【請求項３】
前記外れ止め具の前記基端部は、軸部材を介して前記枢着部によって回転自在に支持されるとともに、
前記解除ワイヤーの前記先端は、前記外れ止め具に前記基端部と前記先端部の間において連結される代わりに、前記軸部材に巻回され、
前記外れ止め具は、前記解除ワイヤーが前記軸部材から繰り出されることで前記先端開口部を開く方向へ回動するとともに、前記解除ワイヤーが前記軸部材に巻き取られることで前記先端開口部を閉じる方向へ回動することを特徴とする請求項１又は請求項２に記載のフック装置。
【請求項４】
前記フック本体の外周面から前記先端開口部に向かって前記解除ワイヤーを挿通可能に貫通孔が穿設され、
前記ガイド溝は、前記フック本体の側面に前記伸縮部材の設置箇所から前記枢着部にかけて形成される代わりに、前記フック本体の外周面に前記伸縮部材の設置箇所から前記貫通孔にかけて形成されることを特徴とする請求項１又は請求項２に記載のフック装置。
【発明の詳細な説明】
【技術分野】
【０００１】
本発明は、工具袋や梯子を電力線等へ掛着する際に使用されるフック装置に係り、特に、電力線等からの離脱を防止するための外れ止め機能を備えたフック装置に関する。
【背景技術】
【０００２】
鉄塔に架設されている送電線の点検や保守作業を行う場合、足場を確保するために架線梯子が用いられる。この架線梯子は、基端部が鉄塔に固定されるとともに、先端部が電力線に掛着された状態で使用される。
作業が行われる場所や作業内容に応じて架線梯子の設置箇所や方向を容易に変更できるように、通常、架線梯子は吊り下げフックを用いて電力線に掛着される。
【０００３】
吊り下げフックを介して架線梯子の先端部を電力線に掛着した場合、架線梯子上の作業者がわずかに重心を移動させただけでも架線梯子が簡単に揺れてしまうため、作業者は常に落下する危険を抱えて作業しなければならないという課題があった。また、架線作業を行う際に、作業者が吊り下げフックを用いて電力線に工具袋等を掛着することがあるが、吊り下げフックが電力線から外れると、工具袋等が落下して事故を引き起こすおそれがある。
このような課題を解決するものとして、従来、電力線等からの外れ止め機能を備えたフックが提案されている。そして、その内容は特許公報等によっても既に公開されている。
【０００４】
例えば、特許文献１には、「フック外れ止め解除装置」という名称で、クレーン装置等のフックに設置された外れ止めを遠隔操作により解除する装置に関する考案が開示されている。
特許文献１に開示された考案は、フックのかぎ開口部を塞ぐように外れ止め部材が設置され、この外れ止め部材に解除アームが固設された構造となっている。また、解除アームの端部はフックの外方に延設され、この解除アームの端部に解除ワイヤの一端が係止されている。そして、解除ワイヤの他端を巻き取り可能な巻き取り機構と、この巻き取り機構を無線により作動させて解除ワイヤを巻き取る無線式作動手段を備えている。
このような構造のフック外れ止め解除装置において、無線式作動手段により巻き取り機構を作動させると、解除ワイヤを介して解除アームが引っ張られ、外れ止めが付勢手段の付勢に抗して開放位置まで揺動する。これにより、作業者はフックから離れた場所にいても外れ止めを簡単に解除することができる。
【０００５】
また、特許文献２には、「吊下フックの外れ防止具」という名称で、クレーン等の搬送機を構成する吊下フックにおいて、外れ防止具を容易に操作することが可能な構造に関する考案が開示されている。
特許文献２に開示された考案では、略Ｊ字状をなす吊下フックの基端部に、略三角形状の外れ防止具が枢着部を介して枢着されている。また、操作ワイヤーの一端部が外れ防止具の一側部後方に連結され、操作ワイヤー懸架部が吊下フックの基端部に突設されている。そして、操作ワイヤーの他端部が操作ワイヤー懸架部に懸架され、操作ワイヤーが下方に垂設されたことを特徴とする。
このような構造によれば、操作ワイヤーを上下方向に操作すると、外れ防止具が後方に回動して吊下フックの先端部が開口するため、簡単に外れ防止具の解除作業を行うことができる。
【０００６】
さらに、特許文献３には、吊上げ作業時に吊上げ対象物がフック部から離脱しないようにする外れ止め機能と、吊上げ搬送された後にフック部を吊上げ対象物から容易に抜去させる機能を有する「フック装置」に関する発明が開示されている。
特許文献３に開示された発明は、フック部、外れ止め部、フック支持部及びロック部からなるフック装置において、フック支持部を反転回動させてフック部に略当接させると、その状態がロック部により維持される構造となっている。また、フック部の内側上部には、外れ止め部の外れ止め片の一端部をスライド自動に案内するスライド溝と、外れ止め片の支持アームを回動自在に固定する支持アーム固定部からなる外れ止め用固定部が設けられている。
このような構造のフック装置においては、外れ止め部を作動させる際に、外れ止め片がフック部の開口部内を移動する距離が短いため、フック部を吊上げ対象物の係止部に引掛ける作業や、フック部を吊り下げ対象物の係止部から取外す作業を行う場合に、外れ止め部が作業の邪魔とならない。従って、作業性や安全性に優れている。
【先行技術文献】
【特許文献】
【０００７】
【特許文献１】実開平３−１２５７８１号公報
【特許文献２】実開平５−２６９８８号公報
【特許文献３】特開２００４−１１５２６３号公報
【発明の概要】
【発明が解決しようとする課題】
【０００８】
ここで、架線梯子の従来の設置方法について、図７及び図８を用いて説明する。
図７（ａ）及び図７（ｂ）は架線梯子が従来技術に係る吊り下げフックを用いて電力線に取り付けられる様子を示す斜視図である。また、図８（ａ）は架線梯子を鉄塔と電力線に対して設置する作業を説明するための模式図であり、図８（ｂ）はその作業手順を示す工程図である。
【０００９】
図７に示すように、架線梯子５１は２本の板材５２と、この板材５２の間に取り付けられる複数本の横木５３によって構成されている。
架線梯子５１の先端には、棒状の連結部材５４の一端が回動自在に取り付けられており、連結部材５４の他端には、吊り下げフック５５と外れ止め具５６が取り付けられている。この外れ止め具５６を図７（ｂ）に示すように吊り下げフック５５に係止することで、吊り下げフック５５は開いた状態から閉じたリング状に形成され電力線５７から外れないように機能する。すなわち、架線梯子５１は吊り下げフック５５を引掛けるようにして先端側が電力線５７に掛着されるとともに、取付金具５８によって基端側が鉄塔の鋼材５９に固定される。
また、吊り下げフック５５の頂部には、連結フック６０を用いて吊り下げ可能にリング状部材５５ａが取り付けられている。
【００１０】
図８（ａ）に示すように、架線梯子５１の設置作業は、鉄塔６１に上って作業をする高所作業者６２ａと、鉄塔６１に滑車６３を介して取り付けられた通い綱６４を操作する地上作業者６２ｂの連携により行われる。なお、吊り下げフック５５は、一端が通い綱６４に結びつけられた連結フック６０を介して通い綱６４に吊持されている。また、滑車６３は高所作業者６２ａの上方に設置されている。
【００１１】
架線梯子５１の設置作業は、図８（ｂ）に示す手順に従って行われる。
まず、地上作業者６２ｂ，６２ｂは、予め連結部材５４と吊り下げフック５５を介して連結フック６０によって架線梯子５１を通い綱６４に固定しておき、通い綱６４を操作することにより架線梯子５１を吊持し、高所作業者６２ａの近傍において吊り下げフック５５を電力線５７に掛着する（ステップＳ１）。
次に、鉄塔６１上で待機していた高所作業者６２ａは架線梯子５１を掴んで鉄塔６１の近くに引き寄せた後、図７（ａ）に示すように取付金具５８を用いて架線梯子５１の基端側を鉄塔６１の鋼材５９に固定する（ステップＳ２）。そして、高所作業者６２ａは架線梯子５１の上を通って先端側まで移動し、図７（ｂ）に示すように外れ止め具５６を吊り下げフック５５に取り付ける（ステップＳ３）。これにより、架線梯子５１の設置作業が完了する。
なお、架線梯子５１を撤去する場合には、ステップＳ１乃至ステップＳ３の作業を逆の手順で行う。
【００１２】
このような方法で架線梯子５１の設置作業若しくは撤去作業を行う場合、高所作業者６２ａは架線梯子５１の上を移動しなければならない。しかし、上述したように、ステップＳ２が完了した時点ではまだ、吊り下げフック５５に外れ止め具５６が取り付けられていないため、吊り下げフック５５が電力線５７から離脱するおそれがある。すなわち、従来の方法によって架線梯子５１の設置作業や撤去作業を行う場合には、架線梯子５１が電力線５７から離脱してしまい、高所作業者６２ａが落下する危険性があった。
【００１３】
前述の従来技術である特許文献１に開示された「フック外れ止め解除装置」を吊り下げフック５５に適用した場合、外れ止め部材（外れ止め具５６に相当）に連結された解除ワイヤーが無線式作動手段の操作により巻き取られるため、図８（ｂ）に示したステップＳ３において、高所作業者６２ａが架線梯子５１の上を移動せずとも、フックに施された外れ止め機構が無線により解除されるという作用を有する。しかしながら、このような構造では、吊り下げフック５５の製造コストが高くなる。また、送信された電気信号の混線により無線式作動手段が誤作動を起こすおそれがあるため、本考案に係る方法は高圧送電線の近傍で行う作業には適していない。
【００１４】
次に、特許文献２に開示された「吊下フックの外れ防止具」を吊り下げフック５５に適用した場合、操作ワイヤーを操作するために、高所作業者６２ａが架線梯子５１の上を先端側まで移動する必要がある。
ただし、予め操作ワイヤーを高所作業者６２ａの手元まで長く伸ばしておけば、高所作業者６２ａが架線梯子５１の上を移動しなくても済む。しかし、その場合には、ステップＳ１において地上作業者６２ｂが通い綱６４を操作して架線梯子５１を高所作業者６２ａの近傍に移動させる際に、操作ワイヤーが通い綱６４に絡まるおそれがある。
また、操作ワイヤーを操作するために新たな通い綱を設け、地上作業者６２ｂが２本の通い綱を操作する方法も考えられる。しかし、外れ止め具５６の解除作業と、吊り下げフック５５を持ち上げて電力線５７から離脱させる作業が独立しているため、作業順序を誤ると、電力線５７が外れ止め具５６に干渉し、一時的に外れ止め具５６を操作できない状態となって作業効率が低下する。
【００１５】
また、特許文献３に開示された発明においては、外れ止め部を手動で操作する必要があるため、この「フック装置」を吊り下げフック５５の代わりに用いたとしても、吊り下げフック５５を用いた場合と同様に、図８（ｂ）に示したステップＳ３において、高所作業者６２ａが架線梯子５１の上を移動しなければならない。
【００１６】
本発明はかかる従来の事情に対処してなされたものであって、電力線等への取り付けや取り外しが容易であって、外れ止め機能の設定及び解除を安全に行うことができる安価なフック装置を提供することを目的とする。
【課題を解決するための手段】
【００１７】
上記目的を達成するため、請求項１記載の発明であるフック装置は、鉤状に形成されて先端開口部を有するとともに、基端側に枢着部が設けられたフック本体と、先端開口部を開閉自在に基端部が枢着部に枢着されるとともに、先端部がフック本体の先端部近傍において先端開口部の内面に当接可能に設置される外れ止め具と、この外れ止め具と枢着部との間に設置されて、外れ止め具に対して先端開口部を閉じる方向へ付勢する弾性部材と、先端開口部を挟んで枢着部と対向する箇所に伸縮部材を介して取り付けられる連結部材と、この連結部材に基端が連結され、外れ止め具に基端部と先端部の間において先端が連結される解除ワイヤーと、を備え、フック本体の側面には伸縮部材の設置箇所から枢着部にかけて解除ワイヤーを導入するガイド溝が形成されることを特徴とするものである。
【００１８】
このような構造のフック装置を通い綱等に固定された連結フック等により連結部材を介して吊り下げると、伸縮部材が引き伸ばされ、連結部材に基端が連結された解除ワイヤーが連結部材に引っ張られるようにしてガイド溝の内部を上方へ移動する。その結果、外れ止め具は弾性部材の付勢力に抗して回動し、先端開口部が開くという作用を有する。これにより、フック本体は電力線等から離脱可能となる。
また、フック装置から連結フックが取り外されると、解除ワイヤーに対して上方へ引っ張る力が作用しなくなるため、外れ止め具が弾性部材の付勢力に従って回動し、先端開口部が閉じられる。その結果、外れ止め具によりフック本体の電力線等からの離脱が防止される。
【００１９】
また、請求項２に記載の発明は、請求項１記載のフック装置において、伸縮部材は、連結部材をフック本体側へ近づける方向へ付勢するコイルばねからなることを特徴とするものである。
このような構造のフック装置においては、請求項１記載の発明の作用に加えて、フック本体が電力線等に掛着されるなどして、解除ワイヤーに対して上方へ引っ張る力が作用しなくなると、コイルばねが収縮することで、解除ワイヤーがガイド溝に沿って押し下げられるという作用を有する。また、単なる弾性部材ではなく、特にコイルばねを用いることから、コイルばね内に解除ワイヤーを収容することが可能であり、この場合には、コイルばねによって解除ワイヤーが保護されるという作用を有する。
【００２０】
さらに、請求項３に記載の発明は、請求項１又は請求項２に記載のフック装置において、外れ止め具の基端部は、軸部材を介して枢着部によって回転自在に支持されるとともに、解除ワイヤーの先端は、外れ止め具に基端部と先端部の間において連結される代わりに、軸部材に巻回され、外れ止め具は、解除ワイヤーが軸部材から繰り出されることで先端開口部を開く方向へ回動するとともに、解除ワイヤーが軸部材に巻き取られることで先端開口部を閉じる方向へ回動することを特徴とするものである。
このような構造のフック装置においては、請求項１又は請求項２に記載の発明の作用に加えて、先端開口部内に解除ワイヤーが存在しないため、万が一にも解除ワイヤーが電力線等に干渉するおそれがない。
【００２１】
請求項４に記載の発明は、請求項１又は請求項２に記載のフック装置において、フック本体の外周面から先端開口部内に向かって解除ワイヤーを挿通可能に貫通孔が穿設され、ガイド溝は、フック本体の側面に伸縮部材の設置箇所から枢着部にかけて形成される代わりに、フック本体の外周面に伸縮部材の設置箇所から貫通孔にかけて形成されることを特徴とするものである。
このような構造のフック装置においては、請求項１又は請求項２に記載の発明の作用に加えて、フック本体の幅方向に見てガイド溝が直線状に設けられるため、ガイド溝の加工が容易である。また、解除ワイヤーは、両端が連結部材と外れ止め具にそれぞれ連結されるとともに、外れ止め具に連結された先端が弾性部材によって枢着部から離れる方向へ付勢されるため、略円弧状に形成されるフック本体の外周面に対して常に押しつけられた状態となる。この場合、解除ワイヤーはガイド溝から離脱することなく、安定した状態でガイド溝内を摺動する。
【発明の効果】
【００２２】
本発明の請求項１に記載の発明によれば、架線梯子の設置作業に用いた場合に、電力線等への取り付けや取り外しが容易である。また、フック本体が電力線等に掛着されるとフック本体は電力線等で支持可能であると同時に、この電力線がフック本体から外れないようにする必要が生じるが、その際に、あたかも自動的に外れ止め具がフック本体の先端開口部を開閉させるために、高所作業者が架線梯子の上を通って先端側まで移動して外れ止め具を操作する必要がない。従って、外れ止め機能の設定及び解除を安全かつ容易に自動で行うことができる。さらに、構造が簡単であるため、安価に製造することが可能である。
【００２３】
本発明の請求項２に記載の発明によれば、請求項１記載の効果に加えて、ガイド溝との摩擦に起因して解除ワイヤーが移動し難くなり、外れ止め具の回動による先端開口部の開閉動作に支障が出るという事態を防ぐことができる。また、連結部材とフック本体の間で解除ワイヤーがコイルばねによって保護されるため、解除ワイヤーの長寿命化を図ることができる。
【００２４】
本発明の請求項３に記載の発明によれば、請求項１又は請求項２に記載の発明の効果に加え、先端開口部内で解除ワイヤーが電力線等に干渉することがないため、解除ワイヤーが破損し難いという効果を奏する。
【００２５】
本発明の請求項４に記載の発明によれば、請求項１又は請求項２に記載の発明の効果に加えて、ガイド溝の加工が容易なため、安価に製造できるという効果を奏する。また、故障し難いため、長期間、安全に使用することが可能である。
【図面の簡単な説明】
【００２６】
【図１】本発明の実施の形態に係るフック装置の実施例１の正面図である。
【図２】（ａ）及び（ｂ）はそれぞれ図１におけるＡ−Ａ線矢視断面の拡大図及びＢ方向矢視図である。
【図３】実施例１のフック装置が連結フックに吊り下げられた状態を示す図である。
【図４】（ａ）及び（ｂ）は架線梯子が実施例１のフック装置を用いて電力線に取り付けられる様子を示す斜視図である。
【図５】実施例１のフック装置の変形例を示す図である。
【図６】（ａ）は本発明の実施の形態に係るフック装置の実施例２の正面図であり、（ｂ）は図６（ａ）におけるＣ−Ｃ線矢視断面の拡大図である。
【図７】（ａ）及び（ｂ）は架線梯子が従来技術に係る吊り下げフックを用いて電力線に取り付けられる様子を示す斜視図である。
【図８】（ａ）は架線梯子を鉄塔と電力線に対して設置する作業を説明するための模式図であり、（ｂ）はその作業手順を示す工程図である。
【発明を実施するための形態】
【００２７】
本発明のフック装置は、架線作業等において工具袋や架線梯子等を電力線に掛着する際に用いられるものである。以下、架線梯子を鉄塔と電力線に対して設置する場合を例にとって、本発明の構造及びその作用・効果について図面を参照しながら具体的に説明する。
【実施例１】
【００２８】
実施例１のフック装置について図１乃至図５を用いて説明する。
図１は本実施例のフック装置１ａの正面図であり、図２（ａ）及び図２（ｂ）は図１におけるＡ−Ａ線矢視断面図及びＢ方向矢視図である。なお、図２（ａ）では図１よりも拡大して示しており、図２（ｂ）では引張コイルばね７及び連結部材８の図示を省略している。
また、図３は実施例１のフック装置が連結フック６０に吊り下げられた状態を示しており、図４（ａ）及び図４（ｂ）は架線梯子５１が本実施例のフック装置１ａを用いて電力線５７に取り付けられる様子を示した図である。さらに、図５は本実施例のフック装置１ａの変形例を示している。なお、図３（ａ）及び図４（ａ）では圧縮コイルばねの図示を省略している。また、図７又は図８に示した構成要素については、同一の符号を付してその説明を省略する。
【００２９】
図１及び図２に示すように、本実施例のフック装置１ａは鉤状をなすフック本体２を電力線５７に掛着するようにして使用されるものであり、電力線５７からの離脱を防ぐため、フック本体２には先端開口部３を塞ぐように外れ止め具４が設置されている。
外れ止め具４の基端部４ａは、フック本体２の基端側に設けられた枢着部２ａに、フック本体２の幅方向（図１において紙面に垂直な方向）に対して平行に配置された軸部材５を介して回動自在に支持されている。また、外れ止め具４の先端部４ｂは、フック本体２の先端部２ｂの近傍において先端開口部３の内面に対して当接可能に設置されている。
さらに、外れ止め具４の基端部４ａの近傍には、枢着部２ａとの間に圧縮コイルばね６が設置されており、この圧縮コイルばね６により外れ止め具４は先端開口部３を閉じる方向へ付勢されている。
【００３０】
フック本体２には、リング状の連結部材８が先端開口部３を挟んで枢着部２ａと略対称となる箇所に引張コイルばね７を介して取り付けられている。また、フック本体２の側面２ｃには、引張コイルばね７が設置された箇所から枢着部２ａにかけて略円弧状をなすようにガイド溝９ａが形成されている（図１及び図２（ａ）参照）。
さらに、ガイド溝９ａの内部には、基端１０ａが連結部材８に連結され、先端１０ｂが基端部４ａと先端部４ｂの間で外れ止め具４に固定具１１を介して連結される解除ワイヤー１０が導入され、摺動自在に設置されている。
【００３１】
解除ワイヤー１０は、先端１０ｂと枢着部２ａの間ではガイド溝９ａに収容されないで露出しており、連結部材８とフック本体２の間では、引張コイルばね７の内部に収容されている。また、解除ワイヤー１０は圧縮コイルばね６が最も伸長して外れ止め具４の先端部４ｂが先端開口部３の内面に当接するとともに、引張コイルばね７が最も収縮した状態において、連結部材８と外れ止め具４を過不足なく連結するために必要な長さを有している。なお、本実施例では設けていないものの、ガイド溝９ａから解除ワイヤー１０が外れないようにガイド溝９ａの一部に覆い部を設けておくようにしてもよい。また、図６（ａ）及び図６（ｂ）に示されるガイド溝９ｂにおいては後述のとおり外れる可能性は低いとも考えられるが同様に覆い部を設けてもよい。
さらに、枢着部２ａはフック本体２の他の部分よりも薄く形成されており、外れ止め具４は二股に形成された基端部４ａによって枢着部２ａを両側から挟み込むように配置されている（図２（ｂ）参照）。
【００３２】
図３に示すように、架線梯子５１（図４参照）などに連結されたフック装置１ａが連結部材８を介して連結フック６０に吊り下げられると、架線梯子５１などの重さによって引張コイルばね７が引き伸ばされる。そして、基端１０ａが連結部材８に連結された解除ワイヤー１０は、連結部材８に引っ張られるようにしてガイド溝９ａの内部を上方へ移動する。
これにより、外れ止め具４は圧縮コイルばね６（図示せず）の付勢力に抗して矢印Ｄで示す方向へ回動する。その結果、先端開口部３は開いた状態となり、フック本体２は電力線５７から離脱可能となる。
【００３３】
一方、図３において、フック装置１ａから連結フック６０が取り外されると、引張コイルばね７に架線梯子５１などの重さが加わらなくなるため、引張コイルばね７は収縮する。このとき、解除ワイヤー１０には上方へ引っ張る力が作用しないため、圧縮コイルばね６（図示せず）の付勢力に従って外れ止め具４が矢印Ｄの逆方向へ回動し、先端開口部３が閉じられる。これにより、フック本体２の電力線５７等からの離脱が防止される。
【００３４】
上記構造のフック装置１ａを図８（ａ）に示した架線梯子５１の設置作業に適用した場合について、図４を用いて説明する。
まず、図８（ａ）のステップＳ１において、地上作業者６２ｂ，６２ｂは  架線梯子５１が吊持された通い綱６４を操作して、鉄塔６１上で待機していた高所作業者６２ａの近傍に架線梯子５１を移動させる。そして、フック装置１ａを電力線５７に掛着する。なお、電力線５７に掛着するまでの間、フック装置１ａは連結フック６０に吊り下げられていることから、前述したように外れ止め具４が解除ワイヤー１０によって引っ張られて回動し、先端開口部３は開いた状態となっている（図４（ａ）参照）。
【００３５】
その後、フック装置１ａが電力線５７に掛着されると、解除ワイヤー１０には上方へ引っ張る力が作用しなくなるため、圧縮コイルばね６（図示せず）の付勢力に従って外れ止め具４が回動し、先端開口部３が閉じられる（図４（ｂ）参照）。その結果、外れ止め具４によってフック本体２の電力線５７からの離脱が防止される。
次に、ステップＳ２において、高所作業者６２ａは架線梯子５１を掴んで鉄塔６１の近くに引き寄せた後、取付金具５８（図７参照）を用いて架線梯子５１の基端側を鉄塔６１の鋼材５９に固定する。
これにより、架線梯子５１の設置作業が完了する。
【００３６】
なお、架線梯子５１を撤去する場合には、まず、取付金具５８を外し、架線梯子５１の基端側が鉄塔６１の鋼材５９に固定された状態を解除する。そして、通い綱６４を操作して連結フック６０でフック装置１ａを吊り上げる。これにより、外れ止め具４が解除ワイヤー１０によって引っ張られて回動し、先端開口部３が開くため、フック本体２は電力線５７から離脱可能な状態となる。
【００３７】
このように、フック装置1ａにおいては、連結フック６０等による連結部材８の吊り上げ作業に連動して外れ止め具４が先端開口部３を開く方向へ回動し、外れ止め機能が解除される。また、電力線５７にフック本体２を掛着するなどして連結部材８の吊り上げ作業が完了すると、外れ止め具４が先端開口部３を閉じる方向へ回動し、外れ止め機能が発揮される。
従って、架線梯子５１の設置作業にフック装置１ａを用いた場合、フック本体２の先端開口部３を開閉させるために、高所作業者６２ａが架線梯子５１の上を通って先端側まで移動して外れ止め具４を操作する必要がない。
【００３８】
特に、フック装置1ａを電力線５７に掛着する際には、先端開口部３の上部内面に電力線５７が当接して掛着作業が完了するまで先端開口部３が開いた状態であるため、電力線５７が外れ止め具４に干渉することがない。従って、フック装置1ａを容易に電力線５７に掛着することができる。
【００３９】
一方、フック装置1ａを電力線５７から取り外す際には、外れ止め具４の回動が完了して先端開口部３が完全に開いた状態になるまで電力線５７は先端開口部３の上部内面に当接したままで移動しないため、電力線５７が外れ止め具４に干渉することがない。従って、フック装置1ａを容易に電力線５７から取り外すことができる。
【００４０】
以上説明したように、フック装置1ａにおいては、電力線５７への掛着作業に連続して外れ止め機能の設定がなされ、外れ止め機能が解除されて初めて電力線５７からの取り外しが可能となる。
従って、本発明のフック装置１ａによれば、電力線５７への掛着作業及び電力線５７からの取り外し作業と、外れ止め機能の設定及び解除を安全かつ容易に行うことが可能である。また、フック装置１ａは構造が簡単であるため、安価に製造することができる。
【００４１】
なお、本発明のフック装置は本実施例に示した構造に限定されるものではない。例えば、図５にフック装置１ｂとして示すように、フック装置１ａにおいて、解除ワイヤー１０の先端１０ｂが基端部４ａと先端部４ｂの間で外れ止め具４に連結される代わりに、解除ワイヤー１０が繰り出されることで先端開口部３を開く方向へ外れ止め具４が回動するとともに、解除ワイヤー１０が巻き取られることで先端開口部３を閉じる方向へ外れ止め具４が回動するように解除ワイヤー１０が軸部材５に対して巻回された構造とすることもできる。
この場合、フック装置１ａと同様の作用を有することに加え、先端開口部３の内部に解除ワイヤー１０が存在しないため、万が一にも解除ワイヤー１０が電力線５７に干渉するおそれがないという作用を有する。従って、フック装置1ａの効果に加えて、解除ワイヤー１０が破損し難いという効果を奏する。
【００４２】
また、フック本体２が電力線５７に掛着されるなどして、解除ワイヤー１０に対して上方へ引っ張る力が作用しなくなった場合に、外れ止め具４を回動させるのに十分な付勢力を有する圧縮コイルばね６を用いることによれば、伸縮部材として必ずしも引張コイルばね７のような弾性部材を用いる必要はない。そして、この場合にも本実施例で説明した作用及び効果は同様に発揮される。
ただし、本実施例に示したように、伸縮部材として引張コイルばね７のような弾性部材を用いることによれば、解除ワイヤー１０に対して上方へ引っ張る力が作用しなくなると、引張コイルばね7が収縮することで、解除ワイヤー１０がガイド溝９ａに沿って押し下げられるという作用が発揮される。この場合、ガイド溝９ａとの摩擦に起因して解除ワイヤー１０が移動し難くなり、外れ止め具４の回動による先端開口部３の開閉動作に支障が出るという事態を防ぐことができる。
なお、引張コイルばね７以外の弾性部材を用いても良い。しかし、引張コイルばね７であれば、内部に解除ワイヤー１０を収容することにより、連結部材８とフック本体２の間で解除ワイヤー１０が引張コイルばね７によって保護されるという作用が発揮される。これにより、解除ワイヤー１０の長寿命化を図ることが可能となる。
さらに、圧縮コイルばね６の代わりに、先端開口部３を閉じる方向へ外れ止め具４を付勢する弾性部材として、軸部材５にトルクを与えるような渦巻ばねを設置することもできる。
【実施例２】
【００４３】
実施例２のフック装置について図６を用いて説明する。
図６（ａ）は本実施例のフック装置１ｃの正面図であり、図６（ｂ）は図６（ａ）におけるＣ−Ｃ線矢視断面の拡大図である。なお、図１乃至図５に示した構成要素については、同一の符号を付してその説明を省略する。
図６（ａ）及び図６（ｂ）に示すように、本実施例のフック装置１ｃは、実施例１のフック装置１ａにおいて、フック本体２の外周面２ｄから先端開口部３の内部に向かって解除ワイヤー１０を挿通可能に貫通孔１２が穿設された構造となっている。そして、フック本体２の側面２ｃに引張コイルばね７の設置箇所から枢着部２ａにかけてガイド溝９ａが形成される代わりに、フック本体２の外周面２ｄに引張コイルばね７の設置箇所から貫通孔１２にかけてガイド溝９ｂが形成され、解除ワイヤー１０がガイド溝９ｂに導入され、摺動自在に設置されるとともに、貫通孔１２の内部に移動自在に設置されたことを特徴とする。
【００４４】
このような構造のフック装置１ｃにおいては、フック装置１ａが有する作用に加えて、フック本体２の幅方向に見てガイド溝９ｂが直線状に設けられるため、ガイド溝９ｂの加工が容易である。従って、製造コストを安くすることができる。
また、解除ワイヤー１０は、基端１０ａ及び先端１０ｂが連結部材８と外れ止め具４にそれぞれ連結されるとともに、先端１０ｂが圧縮コイルばね６によって枢着部２ａから離れる方向へ付勢されるため、略円弧状に形成されるフック本体２の外周面２ｄに対して常に押しつけられた状態となる。この場合、解除ワイヤー１０はガイド溝９ｂから離脱することなく、安定した状態でガイド溝９ｂの内部を摺動するため、故障し難い。従って、長期間、安全に使用することができる。
【産業上の利用可能性】
【００４５】
本発明の請求項１乃至請求項４に記載された発明は、架線梯子を鉄塔や電力線に対して設置する場合に限らず、工具袋等を電力線等へ掛着する場合にも適用可能である。
【符号の説明】
【００４６】
１ａ〜１ｃ…フック装置  ２…フック本体  ２ａ…枢着部  ２ｂ…先端部  ２ｃ…側面  ２ｄ…外周面  ３…先端開口部  ４…外れ止め具  ４ａ…基端部  ４ｂ…先端部  ５…軸部材  ６…圧縮コイルばね  ７…引張コイルばね  ８…連結部材  ９ａ，９ｂ…ガイド溝    １０…解除ワイヤー  １０ａ…基端  １０ｂ…先端  １１…固定具  １２…貫通孔  ５１…架線梯子  ５２…板材  ５３…横木  ５４…連結部材  ５５…吊り下げフック  ５５ａ…リング状部材  ５６…外れ止め具  ５７…電力線  ５８…取付金具  ５９…鋼材  ６０…連結フック  ６１…鉄塔  ６２ａ…高所作業者  ６２ｂ…地上作業者  ６３…滑車  ６４…通い綱  
【図１】
2013158065.tif 000003
【図２】
2013158065.tif 000004
【図３】
2013158065.tif 000005
【図４】
2013158065.tif 000006
【図５】
2013158065.tif 000007
【図６】
2013158065.tif 000008
【図７】
2013158065.tif 000009
【図８】
2013158065.tif 000010